(57)【要約】【課題】鍵管理装置にて保管された鍵を用いて貨幣処理装置を解錠する場合に、効率的かつ厳密に鍵の不正使用を防止することを課題とする。【解決手段】撮像部１２７により鍵管理装置１００を操作する操作者Ａを撮像して（Ｓ１１）、撮像した画像を両替機２００に送信し（Ｓ１２）、撮像部２３６により両替機２００を操作する操作者Ｂを撮像し（Ｓ１３）、両画像を照合して同一人であるか否かを判定し（Ｓ１４）、同一人であるならば両替機２００の解錠を許可し（Ｓ１５）、同一人でなければ両替機２００の解錠を許可しない（Ｓ１６）。【選択図】図１
2018036909.tif 000002
【特許請求の範囲】
【請求項１】
貨幣処理装置を含む複数の装置を有する貨幣処理システムであって、
第１の装置を操作する操作者を撮像する第１の撮像部と、
前記第１の装置と異なる第２の装置を操作する操作者を撮像する第２の撮像部と、
前記第１の撮像部により撮像された第１の画像と、前記第２の撮像部により撮像された第２の画像とを照合処理して、前記第１の画像に含まれる操作者と前記第２の画像に含まれる操作者が一致するか否かを判定する判定部と、
前記判定部により操作者が一致すると判定されたことを条件として、前記第１の装置又は前記第２の装置に対する操作者による操作を許容するよう制御する制御部と
を備えたことを特徴とする貨幣処理システム。
【請求項２】
貨幣処理装置と、該貨幣処理装置に対して使用する媒体を収納する媒体収納装置とを有する貨幣処理システムであって、
前記媒体収納装置は、
前記媒体を取出可能に収納する媒体収納部と、
前記媒体を取り出す操作者を撮像する第１の撮像部と、
前記第１の撮像部により撮像された第１の画像を前記貨幣処理装置に送信する送信部とを備え、
前記貨幣処理装置は、
貨幣の収納及び／又は払出を行う貨幣処理部と、
操作者を撮像する第２の撮像部と、
前記媒体収納装置から送信された第１の画像と、前記第２の撮像部により撮像された第２の画像とを照合処理して、前記第１の画像に含まれる操作者と前記第２の画像に含まれる操作者が一致するか否かを判定する判定部と、
前記判定部により操作者が一致すると判定されたことを条件として、自装置に対する前記媒体の使用を許容するよう制御する制御部とを備えた
ことを特徴とする貨幣処理システム。
【請求項３】
前記制御部は、前記判定部により操作者が一致しないと判定された場合に、所定の警告を発報することを特徴とする請求項２に記載の貨幣処理システム。
【請求項４】
前記貨幣処理装置は、装置内部へのアクセスを許可又は禁止するロック部を有し、
前記媒体収納装置は、少なくとも前記貨幣処理装置のロック部を解錠するための鍵を収納する鍵管理装置であり、
前記制御部は、前記判定部により操作者が一致すると判定されたことを条件として、前記鍵管理装置から取り出された鍵を用いたロック部の解錠を許容するよう制御する
ことを特徴とする請求項２又は３に記載の貨幣処理システム。
【請求項５】
前記媒体の使用履歴及び前記判定部による判定結果に関する履歴情報を記憶する履歴情報記憶部をさらに備え、
前記履歴情報記憶部に記憶された履歴情報を所定の装置から閲覧可能にする
ことを特徴とする請求項２〜４のいずれか一つに記載の貨幣処理システム。
【請求項６】
前記媒体収納装置は、貨幣を収納可能な貨幣収納装置であり、
前記制御部は、前記判定部により操作者が一致すると判定されたことを条件として、前記貨幣収納装置から取り出された貨幣の受け付けを許容するように制御する
ことを特徴とする請求項２又は３に記載の貨幣処理システム。
【請求項７】
貨幣処理装置と、該貨幣処理装置に対して使用する媒体を収納する媒体収納装置とを有する貨幣処理システムの貨幣処理方法であって、
前記媒体収納装置が、前記媒体を取り出す操作者を撮像する第１の撮像部により撮像された第１の画像を前記貨幣処理装置に送信する送信工程と、
前記貨幣処理装置が、自装置を操作する操作者を撮像する第２の撮像部により撮像された第２の画像と、前記媒体収納装置から送信された第１の画像とを照合処理して、前記第１の画像に含まれる操作者と前記第２の画像に含まれる操作者が一致するか否かを判定する判定工程と、
前記貨幣処理装置が、前記判定工程により操作者が一致すると判定されたことを条件として、自装置に対する前記媒体の使用を許容するよう制御する制御工程と
を含んだことを特徴とする貨幣処理方法。
【発明の詳細な説明】
【技術分野】
【０００１】
この発明は、例えば鍵管理装置にて保管された鍵を用いて貨幣処理装置を解錠する場合に、効率的かつ厳密に鍵の不正使用を防止することができる貨幣処理システム及び貨幣処理方法に関する。
【背景技術】
【０００２】
従来、銀行等の金融機関の営業店には、営業店内の現金（貨幣）を管理するため、いわゆる出納機と呼ばれる貨幣処理装置が設けられることが多い。この貨幣処理装置は、営業店の窓口で顧客との取引を行う窓口係員（テラー）や窓口後方の出納員等の操作者によって操作され、取引に伴う入金処理や出金処理を行う場合に利用される。
【０００３】
また、金融機関の営業店に鍵管理装置を設け、該鍵管理装置から取り出した鍵を用いて貨幣処理装置を施解錠する技術が知られている。例えば、特許文献１には、鍵管理装置から鍵を取り出す際に、操作者はＩＤカード認証を行うとともに、実行しようとするイベント情報を入力すると、対応する鍵が取り外し可能となるよう構成した技術が開示されている。操作者は、この鍵管理装置から取り外した鍵を持参して貨幣処理装置に移動し、貨幣処理装置を解錠して所定の処理を行うことになる。
【先行技術文献】
【特許文献】
【０００４】
【特許文献１】特開２０１３−０６７９７５号公報
【発明の概要】
【発明が解決しようとする課題】
【０００５】
しかしながら、上記の特許文献１によれば、操作員が鍵管理装置から鍵を取り外した後に、この鍵を操作員以外の第三者に受け渡し、この第三者が鍵を使用して貨幣処理装置を解錠することが可能となるため、鍵の不正使用を防止できないという問題がある。また、鍵の不正使用が行われた場合に、この鍵を誰が使用したかを追跡することができないという問題もある。
【０００６】
また、上記の第三者が例えば金融機関の営業店の店員であり、鍵を不正使用する意図がない場合も考えられるが、このような鍵の又貸しを許容すると、厳密な鍵管理を行うことができず、セキュリティ上の問題が生ずる。
【０００７】
本発明は、上記従来技術の課題を解消するためになされたものであって、鍵管理装置にて保管された鍵を用いて貨幣処理装置を解錠する場合に、効率的かつ厳密に鍵の不正使用を防止することができる貨幣処理システム及び貨幣処理方法を提供することを目的とする。
【課題を解決するための手段】
【０００８】
上記の課題を解決するため、本発明は、貨幣処理装置を含む複数の装置を有する貨幣処理システムであって、第１の装置を操作する操作者を撮像する第１の撮像部と、前記第１の装置と異なる第２の装置を操作する操作者を撮像する第２の撮像部と、前記第１の撮像部により撮像された第１の画像と、前記第２の撮像部により撮像された第２の画像とを照合処理して、前記第１の画像に含まれる操作者と前記第２の画像に含まれる操作者が一致するか否かを判定する判定部と、前記判定部により操作者が一致すると判定されたことを条件として、前記第１の装置又は前記第２の装置に対する操作者による操作を許容するよう制御する制御部とを備えたことを特徴とする。
【０００９】
また、本発明は、貨幣処理装置と、該貨幣処理装置に対して使用する媒体を収納する媒体収納装置とを有する貨幣処理システムであって、前記媒体収納装置は、前記媒体を取出可能に収納する媒体収納部と、前記媒体を取り出す操作者を撮像する第１の撮像部と、前記第１の撮像部により撮像された第１の画像を前記貨幣処理装置に送信する送信部とを備え、前記貨幣処理装置は、貨幣の収納及び／又は払出を行う貨幣処理部と、操作者を撮像する第２の撮像部と、前記媒体収納装置から送信された第１の画像と、前記第２の撮像部により撮像された第２の画像とを照合処理して、前記第１の画像に含まれる操作者と前記第２の画像に含まれる操作者が一致するか否かを判定する判定部と、前記判定部により操作者が一致すると判定されたことを条件として、自装置に対する前記媒体の使用を許容するよう制御する制御部とを備えたことを特徴とする。
【００１０】
また、本発明は、上記の発明において、前記制御部は、前記判定部により操作者が一致しないと判定された場合に、所定の警告を発報することを特徴とする。
【００１１】
また、本発明は、上記の発明において、前記貨幣処理装置は、装置内部へのアクセスを許可又は禁止するロック部を有し、前記媒体収納装置は、少なくとも前記貨幣処理装置のロック部を解錠するための鍵を収納する鍵管理装置であり、前記制御部は、前記判定部により操作者が一致すると判定されたことを条件として、前記鍵管理装置から取り出された鍵を用いたロック部の解錠を許容するよう制御することを特徴とする。
【００１２】
また、本発明は、上記の発明において、前記媒体の使用履歴及び前記判定部による判定結果に関する履歴情報を記憶する履歴情報記憶部をさらに備え、前記履歴情報記憶部に記憶された履歴情報を所定の装置から閲覧可能にすることを特徴とする。
【００１３】
また、本発明は、上記の発明において、前記媒体収納装置は、貨幣を収納可能な貨幣収納装置であり、前記制御部は、前記判定部により操作者が一致すると判定されたことを条件として、前記貨幣収納装置から取り出された貨幣の受け付けを許容するように制御することを特徴とする。
【００１４】
また、本発明は、貨幣処理装置と、該貨幣処理装置に対して使用する媒体を収納する媒体収納装置とを有する貨幣処理システムの貨幣処理方法であって、前記媒体収納装置が、前記媒体を取り出す操作者を撮像する第１の撮像部により撮像された第１の画像を前記貨幣処理装置に送信する送信工程と、前記貨幣処理装置が、自装置を操作する操作者を撮像する第２の撮像部により撮像された第２の画像と、前記媒体収納装置から送信された第１の画像とを照合処理して、前記第１の画像に含まれる操作者と前記第２の画像に含まれる操作者が一致するか否かを判定する判定工程と、前記貨幣処理装置が、前記判定工程により操作者が一致すると判定されたことを条件として、自装置に対する前記媒体の使用を許容するよう制御する制御工程とを含んだことを特徴とする。
【発明の効果】
【００１５】
本発明によれば、媒体の不正使用を効率的かつ厳密に防止することが可能となる。
【図面の簡単な説明】
【００１６】
【図１】図１は、本実施例１に係る貨幣処理システムの概念を説明するための説明図である。
【図２】図２は、本実施例１に係る貨幣処理システムのシステム構成を示す図である。
【図３】図３は、図２に示した鍵管理装置の外観構成を示す図である。
【図４】図４は、図３に示した鍵管理装置の内部構成を示す機能ブロック図である。
【図５】図５は、図４に示した記憶部に記憶するテーブルの一例を示す図である。
【図６】図６は、鍵管理装置から両替機に送信されるデータの一例を示す図である。
【図７】図７は、図２に示した両替機の外観構成を示す図である。
【図８】図８は、図７に示した両替機の内部構成を示す機能ブロック図である。
【図９】図９は、図４に示した鍵管理装置の処理手順を示すフローチャートである。
【図１０】図１０は、図８に示した両替機の処理手順を示すフローチャート（１）である。
【図１１】図１１は、図８に示した両替機の処理手順を示すフローチャート（２）である。
【図１２】図１２は、実施例２に係る貨幣処理システムの概念を説明するための説明図である。
【図１３】図１３は、図１２に示した貨幣処理装置の外観構成を示す図である。
【図１４】図１４は、図１３に示した貨幣処理装置の内部構成を示す機能ブロック図である。
【図１５】図１５は、図１４に示した貨幣処理装置の処理手順を示すフローチャート（１）である。
【図１６】図１６は、図１４に示した貨幣処理装置の処理手順を示すフローチャート（２）である。
【図１７】図１７は、表示画面の一例を示す図である。
【図１８】図１８は、実施例３に係る貨幣処理システムの概念を説明するための説明図である。
【図１９】図１９は、図１８に示した貨幣保管装置から貨幣処理装置に送信されるデータの一例を示す図である。
【図２０】図２０は、実施例４に係る貨幣処理システムの概念を説明するための説明図である。
【発明を実施するための形態】
【実施例１】
【００１７】
以下に、添付図面を参照して、本発明に係る貨幣処理システム及び貨幣処理方法の好適な実施例を詳細に説明する。なお、本実施例１では、鍵管理装置に保管された鍵を用いて出納機と呼ばれる貨幣処理装置を解錠する場合を示すこととする。
【００１８】
＜実施例１に係る貨幣処理システムの概念＞
まず、本実施例１に係る貨幣処理システムの概念を説明する。図１は、本実施例１に係る貨幣処理システムの概念を説明するための説明図である。ここでは、鍵管理装置１００において管理された鍵を用いて、両替機２００の扉を施解錠するロック部を解錠する場合を示すこととする。なお、後述する「ロック機構」は、ロック部を鍵で解錠できないようにする機構を意味する。なお、この両替機２００は、貨幣を処理する装置であるため、特許請求の範囲に記載される「貨幣処理装置」に対応する。
【００１９】
図１に示すように、鍵管理装置１００には撮像部１２７が設けられており、この撮像部１２７により鍵管理装置１００を操作（鍵の取出し）する操作者Ａを撮像し（Ｓ１１）、撮像された画像ａが両替機２００に送信される（Ｓ１２）。一方、両替機２００にも撮像部２３６が設けられており、この撮像部２３６により両替機２００を操作する操作者Ｂを撮像する（Ｓ１３）。
【００２０】
その後、両替機２００は、操作者Ｂを撮像した画像ｂを鍵管理装置１００から受信した画像ａと照合し、操作者Ａと操作者Ｂが同一人であるか否かを判定する（Ｓ１４）。その結果、操作者Ａと操作者Ｂが同一人であると判定された場合には、鍵を用いたロック部の解錠を許可し（Ｓ１５）、操作者Ａと操作者Ｂが同一人でないと判定された場合には、鍵を用いたロック部の解錠を許可しない（Ｓ１６）。
【００２１】
このように、鍵管理装置１００から鍵を取り出した操作者Ａと、両替機２００のロックを解錠しようとする操作者Ｂが同一人であることを条件として、両替機２００のロック部の解錠を許可することとしたので、鍵管理装置１００から鍵を取り出した操作者Ａが第三者に鍵を渡して両替機２００のロック部を解錠させるような事態を防止することができる。
【００２２】
＜システム構成＞
次に、本実施例１に係る貨幣処理システムのシステム構成を説明する。図２は、本実施例１に係る貨幣処理システムのシステム構成を示す図である。同図に示すように、ここでは鍵管理装置１００、両替機２００及び金庫３００がＬＡＮ（Local Area Network）等を介して通信可能に接続されている。
【００２３】
鍵管理装置１００は、金融機関の店舗内に設置された貨幣処理装置を含む各種の装置の鍵を管理する装置である。その詳細な説明は後述するが、この鍵管理装置１００には、操作者を撮像するための撮像部１２７が設けられており、撮像した画像が両替機２００に送信される。なお、後述する金庫３００の鍵が取り出された場合には、金庫３００に対して画像が送信される。
【００２４】
両替機２００は、金融機関の店舗内に設置され、貨幣の両替を行う装置である。その詳細な説明は後述するが、この両替機２００には、操作者を撮像するための撮像部２３６が設けられており、撮像した画像と鍵管理装置１００から受信した画像とを照合して、両画像に含まれる操作者が同一人であるか否かを判定し、同一人である場合には、鍵による解錠を許可する。一方、同一人でない場合には、鍵による解錠を許可しない。具体的には、鍵孔に鍵を挿入しても回動しないように制御される。
【００２５】
金庫３００は、貨幣を収納する金庫である。ここではその詳細な説明を省略するが、この金庫３００には撮像部が設けられている。そして、両替機２００と同様に、撮像した画像と鍵管理装置１００から受信した画像とを照合して、両画像に含まれる操作者が同一人であるか否かを判定し、同一人である場合には、鍵による解錠を許可する。一方、同一人でない場合には、鍵による解錠を許可しない。具体的には、鍵孔に鍵を挿入しても回動しないように制御される。
【００２６】
＜鍵管理装置１００の外観構成＞
次に、図２に示した鍵管理装置１００の外観構成について説明する。図３は、図２に示した鍵管理装置１００の外観構成を示す図である。同図に示すように、鍵管理装置１００には、開閉可能な扉１０２が設けられており、この扉１０２の内部に鍵収納部１０３を有する。鍵収納部１０３は、複数の鍵保持部１０５を有する。鍵保持部１０５は、両替機２００の扉を施解錠するための鍵１４０と、両替機２００の金種種毎の金庫の扉を施解錠するための鍵が繋がれているキーホルダー１０４を着脱可能に保持する。
【００２７】
待機状態において扉１０２は施錠されており、予め設定された操作者のＩＤコードが読み取られると解錠されて、鍵保持部１０５へアクセス可能となる。各鍵保持部１０５は、それぞれ特定のキーホルダー１０４を保持（装着）しており、このキーホルダー１０４には鍵１４０が繋がれている。なお、各鍵保持部１０５には、対応するキーホルダー１０４以外は保持（装着）できないようになっている。また、各鍵保持部１０５には、キーホルダー１０４の取り出しを許可又は禁止できるようにそれぞれロック機構１２４が設けられている。鍵保持部１０５は、特定の鍵保持部１０５からキーホルダー１０４の取り出しを許可する場合に、他の鍵保持部１０５からキーホルダー１０４の取り出しを禁止することができる。キーホルダー１０４のロック機構１２４については周知技術であるので、その詳細な説明を省略する。
【００２８】
鍵使用状態表示部１０６は、鍵保持部１０５に対応して設けられている。鍵使用状態表示部１０６は、キーホルダー１０４が鍵保持部１０５から取り出されている場合には点灯する。また、キーホルダー１０４が鍵保持部１０５に保持されており、このキーホルダー１０４が取出可能である場合には、鍵使用状態表示部１０６が点滅する。また、キーホルダー１０４が鍵保持部１０５に保持されており、このキーホルダー１０４が取出不可である場合には、鍵使用状態表示部１０６が消灯する。また、操作者のＩＤコードに応じて、操作者が取り出せることができる鍵の鍵保持部１０５のみに対応して点灯するよう構成することもできる。
【００２９】
緊急解錠部１０７は、緊急時に全てのキーホルダー１０４を鍵保持部１０５から取出可能とするために設けられている。プリンタ１０８は、鍵１４０の使用状況を示すログを印刷するために設けられている。
【００３０】
扉開閉検知部１１２は、扉１０２の開状態又は閉状態を検知する。扉開閉検知部１１２は、扉１０２が閉じられたときに、扉１０２に設けられた検知突起部１１３が挿入されることによって扉１０２の閉状態を検知し、扉１０２が開けられたときに、扉１０２に設けられた検知突起部１１３が抜き出されることによって、扉１０２の開状態を検知する。
【００３１】
カードリーダ１１５は、鍵を利用する操作者のＩＤカードを読み取るリーダ部である。また、操作者が鍵管理装置１００に情報を入力するための操作部１１７及び表示部１１６が設けられている。操作部１１７には、複数のボタンが設けられており、このボタンの押下操作により情報が入力される。表示部１１６は液晶表示部である。なお、操作部１１７及び表示部１１６を一体化して、タッチパネル式の液晶表示とすることもできる。なお、本体右側には電源スイッチ１１９が設けられている。
【００３２】
撮像部１２７は、操作者を撮像するカメラであり、鍵管理装置１００のカードリーダ１１５にＩＤカードを通す操作者の顔を撮像する。操作者が両替機２００の鍵を取り出す場合には、通信インターフェース部１２５を介して両替機２００に顔画像が送信される。なお、操作者が金庫３００の鍵を取り出す場合には、金庫３００に対して顔画像が送信される。
【００３３】
このような構成により、鍵管理装置１００は、任意のキーホルダー１０４が鍵保持部１０５から取り出されることを可能にし、その他のキーホルダー１０４が鍵保持部１０５から取り出されることを禁止することができる。
【００３４】
＜鍵管理装置１００の内部構成＞
次に、図３に示した鍵管理装置１００の内部構成について説明する。図４は、図３に示した鍵管理装置１００の内部構成を示す機能ブロック図である。同図に示すように、鍵管理装置１００は、制御部１２１、記憶部１２２、通信インターフェース部１２５及び警告部１２６を有する。なお、すでに説明した部位についてはその詳細な説明を省略する。
【００３５】
記憶部１２２は、不揮発性メモリ又はハードディスク装置などからなる記憶デバイスである。この記憶部１２２は、鍵１４０の取出及び返却に関する鍵使用状況のデータ等を記憶する。また、記憶部１２２は、操作者がＩＤカードを通した場合に撮像した操作者の画像を記憶する。
【００３６】
また、図５に示すように、鍵番号、取出許可ＩＤコード及び鍵の有無を対応付けたテーブルを記憶する。このように、鍵管理装置１００を使用可能な操作者の取出許可ＩＤコードを記憶しているため、操作者が権限を有さない鍵１４０の取り出しを制限することができる。例えば、ＩＤコードが「Ａ１２３６」である操作者は、鍵番号「Ｋ００１」の取出権限を有さないため、該当する鍵の取り出しが禁止される。
【００３７】
ロック機構１２４は、鍵保持部１０５からキーホルダー１０４の取り出しを許可又は禁止するための機構である。操作者が鍵を取り出す権限を有する場合には、該当する鍵番号のロック機構１２４がロック解除され、キーホルダー１０４の取り出しが可能となる。
【００３８】
通信インターフェース部１２５は、他装置と通信する場合のインターフェース部である。この通信インターフェース部１２５を介して、鍵管理装置１００は、両替機２００及び金庫３００とデータの授受を行う。例えば、鍵管理装置１００から両替機２００の鍵が取り出された場合には、データ番号、取出日時、鍵番号、カードＩＤ及び画像データからなる図６に示す情報が両替機２００に送信される。
【００３９】
警告部１２６は、扉１０２がこじ開けられたり、キーホルダー１０４が鍵保持部１０５から強制的に抜き取られたような緊急時に、警告音の発報、警告表示又は警告情報の通知を行う処理部である。
【００４０】
＜両替機２００の外観構成＞
次に、図２に示した両替機２００の外観構成について説明する。図７は、図２に示した両替機２００の外観構成を示す図である。同図に示すように、両替機２００は、中空の筐体構造の本体部を備えている。本体部は、その前面側（正面側）上部がＬ字状に切り欠かれている。このため、本体部の前面は、その上端側に向かうに従って後側へ少し傾斜して延びる傾斜面２０３と、傾斜面２０３の下端から前側へ略水平に延びる水平面２０４と、水平面２０４の前端から下方へ略垂直に延びる垂直面２０５とを含んでいる。
【００４１】
傾斜面２０３は、その幅方向略中央位置に、表示操作部２０６が設けられている。表示操作部２０６は、幅広の矩形状をなす液晶の表示画面と、表示画面の表面を覆うように表示画面の上に積層された透明なタッチパネルとを有するタッチパネルディスプレイを備えている。この表示操作部２０６には、両替内容選択画面及び両替内容確認画面などの画面やガイダンス等が表示される。
【００４２】
表示操作部２０６の下隣には、操作者に両替明細（レシート）を発行するためのレシート発行口２０７と、操作者のＩＤカードを出し入れするためのカード取扱口２０８とが設けられている。傾斜面２０３では、表示操作部２０６の右隣に、両替機２００が両替機であることを示す「両替」という識別表示板が付されている。傾斜面２０３には、バラ硬貨を投入したり受け取ったりするための硬貨取扱口２１０が設けられている。硬貨取扱口２１０の下隣には、金融機関の係員を呼び出すための呼出スイッチ２１１と、両替機２００のメンテナンス等のために係員によって鍵が差し込まれる鍵穴２１２とが設けられている。硬貨取扱口２１０は、バラ硬貨の投入又は受取を行わない場合には、シャッタ２１３によって閉塞されている。鍵穴２１２は、通常電磁ロックされており鍵が回動できないようになっている。そして、許可された操作者のみが使うときに鍵穴２１２のロックが解除され使用可能になる。
【００４３】
水平面２０４には、所定枚数（例えば５０枚）毎にまとまった状態で包装された硬貨（以下、「包装硬貨」と言う）を受け取るための包装硬貨取扱口２１４と、紙幣を投入したり受け取ったりするための紙幣取扱口（出金口）２１５とが設けられている。包装硬貨取扱口２１４は、包装硬貨を受け取るとき以外は、シャッタ２１６によって閉塞されている。紙幣取扱口２１５は、紙幣を投入したり受け取ったりするとき以外はシャッタ２１７によって閉塞されている。水平面２０４と傾斜面２０３との接続部分において、包装硬貨取扱口２１４及び紙幣取扱口２１５のそれぞれの近傍に位置する２箇所には、確認用ミラー２１８が１つずつ設けられている。各確認用ミラー２１８は、上向きに延びつつ正面側へ傾斜している。包装硬貨取扱口２１４及び紙幣取扱口２１５のそれぞれが開放された状態において、各取扱口に対応する確認用ミラー２１８によって取扱口２１４，２１５の内部を視認できるので、包装硬貨や紙幣の取り忘れを防止できる。
【００４４】
垂直面２０５の上端部の幅方向略中央には、両替機２００の前に人がいるか否かを検知するための人感センサ２１９が設けられている。垂直面２０５において、人感センサ２１９より下側の部分のほぼ全域は、正面側へ一段張り出している。この張り出した部分の上端部には、両替のための手数料（硬貨）を投入するための投入口２２０と、投入口２２０に投入した手数料を返却するために操作される返却レバー２２１とが設けられている。張り出した部分の正面には、投入した手数料（お釣りも含む）が返却される硬貨返却口２２２と、投入口２２０に硬貨以外の異物が投入された場合の当該異物が返却される異物返却口２２３とが設けられている。
【００４５】
また、背面には収納している貨幣を出し入れするための扉があり、扉には鍵がかかるとともに、鍵穴に鍵が差し込まれても正規の鍵の操作者でなければ鍵が回らないように鍵をロックするロック機構が設けられている。さらに、鍵を開けようとする操作者を検知する人感センサ２１９と操作者の画像を撮像する撮像部２３６とが設けられている。
【００４６】
＜両替機２００の内部構成＞
次に、図７に示した両替機２００の内部構成について説明する。図８は、図７に示した両替機２００の内部構成を示す機能ブロック図である。同図に示すように、本体部は、例えばマイクロコンピュータによって構成された制御部２２５を有する。制御部２２５には、本体記憶部２２６、表示操作部２０６、係員操作部２２７、硬貨入金部２２８、カードリーダ部２２９、レシート発行部２３０等が接続されている。また、制御部２２５には、ＵＳＢハブなどのハブを介して、紙幣入出金部２３１、包装硬貨出金部２３２、バラ硬貨出金部２３３、ロック機構２３７、鍵抜取検知部２３８及び通信インターフェース部２３９が接続されている。
【００４７】
本体記憶部２２６は、不揮発性メモリやハードディスクドライブといった記憶デバイスによって構成される。この本体記憶部２２６は、両替機２００における両替取引処理に関するプログラムや種々のデータテーブルを記憶している。具体的には、本体記憶部２２６には、例えば両替機制御プログラム、顔画像撮像プログラム、顔照合プログラム、両替取引内容記憶テーブル、手数料決定テーブルが記憶される。
【００４８】
本体記憶部２２６には、鍵管理装置１００から受信した操作者の画像を含む鍵取出データが格納されるとともに、撮像部２３６により撮像された操作者の顔画像が記憶される。また、本体記憶部２２６には、鍵管理装置１００から受信した操作者ＩＤコード、鍵情報、画像データを日時情報に対応付けてログデータとして格納される。
【００４９】
係員操作部２２７は、金融機関の係員が操作するための操作部であり、例えば本体部の背面側に設けられる。係員操作部２２７は、通常は背面カバーによって覆われており、この背面カバーを開放した状態で係員操作部２２７が露出するようになっている。なお、係員操作部２２７は省略することもできる。硬貨入金部２２８は、バラ硬貨を金種毎に収納するための複数のバラ硬貨収納部に対して、硬貨取扱口２１０に投入されたバラ硬貨を搬送するための硬貨搬送機構を備えている。バラ硬貨収納部は本体部内に収容されている。
【００５０】
カードリーダ部２２９は、本体部の前面から少し後方寄りの位置に内蔵されている。カードリーダ部２２９は、カード取扱口２０８に入れられた操作者のＩＤカードからカードＩＤを読み取る。このＩＤカードは、両替処理後にカード取扱口２０８から排出され、操作者に返却される。レシート発行部２３０は、両替取引の明細や手数料を記録用紙に印字し、それをレシートとして発行する。レシート発行部２３０から発行されたレシートは、レシート発行口２０７から本体部の前方に向けて出力される。
【００５１】
紙幣入出金部２３１は、図示しない紙幣搬送機構と識別部２３４とを備えている。紙幣搬送機構は、本体部に収容された複数個（例えば７つ）の紙幣の収納庫と紙幣取扱口２１５との間で紙幣を搬送する。７つの収納庫のうち、６つの収納庫が出金庫として本体部に収容されており、残り１つの収納庫が入金庫として本体部に収容されている。６つの収納庫は、例えば新券の１万円札、新券の５千円札、新券の千円札、流通券の１万円札、流通券の５千円札及び流通券の千円札を収納するために設けられている。換言すると、６つの収納庫は、新券及び流通券の別並びに紙幣の金種の双方に対応して紙幣を収納している。入金庫は、入金された紙幣を全て収納する。なお、新券とは、折り目や皺や汚れのない綺麗な紙幣であり、流通券とは、既に市場に出回っている紙幣である。
【００５２】
紙幣搬送機構は、紙幣取扱口２１５に入金された紙幣を搬送路経由で各収納庫に１枚ずつ搬送させるとともに、各収納庫に収納されている紙幣を搬送路経由で紙幣取扱口２１５まで１枚ずつ搬送させ、紙幣取扱口２１５から紙幣を排出して出金させる。識別部２３４は、搬送路の途中部に配設され、搬送路を搬送させられる紙幣の金種、正損、真偽等を識別する。なお、収納庫として、紙幣を専ら収納する収容庫のほかに、一時保留部として機能する収納庫を設けることもできる。
【００５３】
包装硬貨出金部２３２は、包装硬貨を金種毎に収納するための複数の包装硬貨収納部のそれぞれから送られる包装硬貨を包装硬貨取扱口２１４に投出するための包装硬貨投出部を備えている。包装硬貨収納部は本体部内に収容されている。バラ硬貨出金部２３３は、各バラ硬貨収納部から送られるバラ硬貨をバラ硬貨取扱口２１０に投出するためのバラ硬貨投出部を備えている。
【００５４】
ロック機構２３７は、メンテナンス用に扉を開ける鍵を使用不能にするための機構である。操作者が、鍵管理装置１００から両替機２００の鍵を取り出し、同一の操作者がこの鍵を用いる場合には、ロック機構２３７のロックが解除される。例えば、このロック機構２３７に関して、鍵の挿入部にピンを存在させ、鍵が挿入できない構造とする場合には、ロック解除された場合にピンが退避するよう制御することで、鍵穴２１２に対する鍵の挿入が可能となる。鍵抜取検知部２３８は、鍵穴２１２に挿入された鍵が抜かれたことを検知するセンサである。これにより、メンテナンス作業が終了したことを装置が検知することができる。通信インターフェース部２３９は、外部機器と通信をするためのインターフェースであり、鍵管理装置１００と通信をして鍵取出データを受信することができる。
【００５５】
＜鍵管理装置１００の処理手順＞
次に、図４に示した鍵管理装置１００の処理手順について説明する。図９は、図４に示した鍵管理装置１００の処理手順を示すフローチャートである。同図に示すように、カードリーダ１１５が操作者のＩＤカードを読み取る（ステップＳ１０１）。そして、読み取ったＩＤカードのＩＤコードが記憶部１２２に登録されたＩＤコードであるか否かを認証する（ステップＳ１０２）。
【００５６】
その結果、ＩＤコードの認証が不可であれば（ステップＳ１０２；Ｎｏ）、あらかじめ定められた警告を発し（ステップＳ１０３）、ＩＤカードの読取待ちの状態となる。一方、ＩＤコードが正しく認証されたならば（ステップＳ１０２；Ｙｅｓ）、撮像部１２７により操作者の画像を撮像する(ステップＳ１０４)。このとき、撮像された画像が操作者の顔部分を含む適切な画像であるか否かを判定し、適切な画像でない場合には、再度の撮影を行う。なお、操作者の顔が含まれているか否かは、テンプレートマッチング等の周知技術を用いることができる。また、再度の撮影を行う場合には、その旨を音声ガイダンス又は表示することもできる。
【００５７】
その後、扉１０２のロック機構１２４を解除する(ステップＳ１０５)。具体的には、ＩＤコードに対応付けられた鍵保持部１０５の鍵使用状態表示部１０６を点滅させ、該当する鍵保持部１０５のロック機構１２４を解除する。但し、ＩＤコードに対応付けられたキーホルダー１０４が既に抜き取られている鍵保持部１０５については、鍵使用状態表示部１０６は点灯したままとなる。なお、ＩＤコードに対応付けられていない鍵保持部１０５については、鍵使用状態表示部１０６が点灯状態あるいは消灯状態となっており、鍵保持部１０５に対応するロック機構１２４は解除されず、キーホルダー１０４を抜き取ることはできない。
【００５８】
そして、操作者によるキーホルダー１０４の抜取待ちの状態となり（ステップＳ１０６；Ｎｏ）、キーホルダー１０４が抜き取られた場合には（ステップＳ１０６；Ｙｅｓ）、鍵保持部１０５からの情報から記憶部１２２に記憶している鍵が使用される機器を特定する（ステップＳ１０７）。そして、特定された機器へデータ送信を行い（ステップＳ１０８）、処理を終了する。このとき、複数のキーホルダー１０４が引き抜かれた場合にはそれぞれの機器にデータを送信する。操作者はキーホルダー１０４を入手したならば、鍵管理装置１００の扉１０２を閉鎖する。
【００５９】
＜両替機２００の処理手順＞
次に、図８に示した両替機２００の処理手順について説明する。図１０及び図１１は、図８に示した両替機２００の処理手順を示すフローチャートである。ここでは説明の便宜上、操作員が両替機２００のメンテナンスを行うモードとなっていることとする。同図に示すように、まず操作者が両替機２００の扉に近づいたことを人感センサ２１９が検知する(ステップＳ２０１)。そして、人感センサ２１９が操作者を検知したならば（ステップＳ２０１；Ｙｅｓ）、操作者を撮像する（ステップＳ２０２）。
【００６０】
その後、撮像された画像内に人物（操作者）の正面像が含まれているか否かを判定し（ステップＳ２０３）、画像内に人物の正面像が含まれていない場合には（ステップＳ２０３；Ｎｏ）、「カメラを見て下さい」等の警告を発した後に（ステップＳ２０４）、ステップＳ２０１に移行する。
【００６１】
一方、画像内に人物の正面像が含まれている場合には（ステップＳ２０３；Ｙｅｓ）、該画像と鍵管理装置１００から受信した画像との照合処理を行う（ステップＳ２０５）。そして、照合結果により操作者が一致するか否かを判定し（ステップＳ２０６）、操作者が一致しないと判定された場合には（ステップＳ２０６；Ｎｏ）、「解錠する権限がありません」等の警告を発した後に（ステップＳ２０７）、上位役席者によるエラー解除の待ち状態となる（ステップＳ２０８）。
【００６２】
これに対して、操作者が一致すると判定された場合には（ステップＳ２０６；Ｙｅｓ）、ロック機構２３７を解除し（ステップＳ２０９）、操作者の鍵の使用による扉の解放が可能となる。このため、操作者は、扉を貨幣の装填作業又は回収作業等を行うことが可能となる。なお、ロック機構２３７が解除された後、所定の時間扉が解放されている場合には、警報を発することもできる。扉が開かれたまま放置される状況を防止するためである。
【００６３】
その後、扉が閉鎖された後に鍵が抜かれ、ロック部が施錠させたことを検知したならば（ステップＳ２１０；Ｙｅｓ）、ログを保存し（ステップＳ２１１）、鍵管理装置１００から受信した顔画像データを消去して（ステップＳ２１２）、上記一連の処理を終了する。
【００６４】
上述してきたように、本実施例１では、鍵管理装置１００に設けられた撮像部１２７により操作者を撮像した画像を両替機２００に送信し、両替機２００では、自装置に設けられた撮像部２３６により撮像した画像と鍵管理装置１００から受信した画像と照合して、操作者が同一人であるか否かを判定し、操作者が同一人であると判定された場合には、鍵を用いた両替機２００の解錠を許可し、操作者が同一人でないと判定された場合には、鍵を用いた両替機２００のロック部の解錠を許可しないよう構成したので、鍵管理装置１００から鍵を取り出した操作者が第三者に鍵を受け渡して両替機２００のロック部を解錠させるような事態を防止することができる。
【００６５】
なお、鍵を取り出してから解錠操作を行うまでのタイマーチェックを行うこともできる。例えば、鍵の取出後５分を超過すると、たとえ画像照合によって同一人であると判定された場合であっても、ロック機構２３７を解除しないよう制御することもできる。不正の可能性を未然に防止するためである。この場合の閾値となる時間は、あらかじめ設定される。
【００６６】
また、鍵の使用回数を制限することもでき、鍵がロック部の解錠に使用されると、同じ鍵を用いた２回目以降のロック部の解錠を禁止するよう構成することもできる。この場合は、操作者が鍵を一旦鍵管理装置１００に戻し、再度取出操作を行うことになる。
【００６７】
また、撮像部による撮像された画像が不十分である場合には、ロック機構の解除をせずに再度撮像を行うことになる。この場合に、「カメラを見て下さい」等のメッセージを表示することで正常な画像の取得を促し、認証精度を高めることができる。
【００６８】
また、画像の照合処理を行う場合には、上半身の服装を考慮したアピアランス照合を行うこともできる。これにより、照合精度を高めることが可能となる。また、アラーム報知の種別としては、装置単体として警告画面表示又は警告音の発生を行うだけではなく、あらかじめ登録された連絡先（管理装置、管理者のスマートフォン・タブレット端末）などに通知することもできる。
【００６９】
また、鍵管理装置１００から複数個の鍵が連続して取り出された場合には、鍵毎に個別に判定を行うものとする。また、解錠操作後や鍵を戻した後は、照合結果、照合日時、解錠日時、鍵の戻し日時等のログ情報が保存される。加えて、鍵の取出し時に取得された画像や扉の開放時に取得された画像を保存してもよい。また、鍵の使用履歴及び判定結果に関する履歴情報を履歴情報記憶部に記憶しておき、履歴情報記憶部に記憶された履歴情報を所定の装置（タブレット端末等）から閲覧可能にすることもできる。
【００７０】
さらに、撮像部は、鍵管理装置１００及び両替機２００と分離して例えば天井などに配置することもできる、また、装置の近くに設けられた監視カメラを用いることもできる。また、両替機２００の前面と後面に撮像部を配置し、操作される側の撮像部によって撮像された画像を照合に用いることもできる。
【００７１】
なお、ここでは両替機２００において解錠可否を判定する場合を中心に示したが、金庫３００についても両替機２００と同様の構成を採用することにより、第三者による解錠を防止することができる。
【００７２】
また、この実施例１では、両替機２００において２つの画像の照合処理及び操作者が一致するか否かの判定処理を行う場合を示したが、本発明はこれに限定されるものではなく、管理装置を新たに設け、この管理装置上でかかる処理を行うこともできる。この場合には、鍵管理装置１００及び両替機２００が操作者を撮像したならば画像を管理装置に送信し、管理装置が判定結果を両替機２００に通知することになる。
【００７３】
また、上記の説明では、操作者の接近を人感センサ２１９で検出する場合を示したが、撮像部２３６により撮影された画像を画像処理して解錠動作を検知し、これをトリガとして動作させることもできる。
【実施例２】
【００７４】
ところで、上記実施例１では、鍵管理装置１００から取り出された鍵を用いて両替機２００の扉を解錠する場合について説明したが、本発明はこれに限定されるものではなく、鍵管理装置１００から取り出された鍵を用いていわゆる出納機と呼ばれる貨幣処理装置４００の扉を解錠する場合に適用することもできる。このため、本実施例２では、かかる場合について説明する。
【００７５】
＜実施例２に係る貨幣処理システムの概念＞
本実施例２に係る貨幣処理システムの概念を説明する。図１２は、本実施例２に係る貨幣処理システムの概念を説明するための説明図である。ここでは、鍵管理装置１００において管理された鍵を用いて、出納機と呼ばれる貨幣処理装置４００のロック部を解錠する場合を示すこととする。
【００７６】
図１に示すように、鍵管理装置１００には撮像部１２７が設けられており、この撮像部１２７により鍵管理装置１００を操作（鍵の取出し）する操作者Ａを撮像し（Ｓ２１）、撮像された画像ａが貨幣処理装置４００に送信される（Ｓ２２）。一方、貨幣処理装置４００にも撮像部４３２が設けられており、この撮像部４３２により貨幣処理装置４００を操作（扉の解錠）する操作者Ｂを撮像する（Ｓ２３）。
【００７７】
その後、貨幣処理装置４００は、操作者Ｂを撮像した画像ｂを鍵管理装置１００から受信した画像ａと照合し、操作者Ａと操作者Ｂが同一人であるか否かを判定する（Ｓ２４）。その結果、操作者Ａと操作者Ｂが同一人であると判定された場合には、鍵を用いたロック部の解錠を許可し（Ｓ２５）、操作者Ａと操作者Ｂが同一人でないと判定された場合には、鍵を用いたロック部の解錠を許可しない（Ｓ２６）。
【００７８】
このように、鍵管理装置１００から鍵を取り出した操作者Ａと、貨幣処理装置４００のロック部を解錠しようとする操作者Ｂが同一人であることを条件として、貨幣処理装置４００のロック部の解錠を許可することとしたので、鍵管理装置１００から鍵を取り出した操作者Ａが第三者に鍵を渡して貨幣処理装置４００のロック部を解錠させるような事態を防止することができる。
【００７９】
＜貨幣処理装置４００の外観構成＞
次に、図１２に示した貨幣処理装置４００の外観構成について説明する。図１３は、図１２に示した貨幣処理装置４００の外観構成を示す図である。同図に示すように、貨幣処理装置４００は、バラ紙幣処理部４１１及び束紙幣処理部４１２からなる紙幣処理装置と、バラ硬貨処理部４１３及び包装硬貨処理部４１４からなる硬貨処理装置との間に損券処理装置４１６が配置され、損券処理装置４１６の上面に損貨処理装置４１５が配置されている。また、紙幣処理装置及び硬貨処理装置の上部には、それぞれ表示操作部４２８及びプリンタ４３０が配置され、それぞれの装置で作業する操作員は、各装置の前から移動することなく表示操作部４２８の操作や表示情報の確認を行うことができる。
【００８０】
バラ紙幣処理部４１１は、筐体前面に、入金されるバラ紙幣を受け入れるためのバラ紙幣入金口とリジェクトされたバラ紙幣を投出するための入金リジェクト部を有し、筐体上面に、出金対象となるバラ紙幣を取り出すためのバラ紙幣出金口を有している。束紙幣処理部４１２は、筐体前面上部に、束紙幣を取り出すための束紙幣出金口を有し、筐体前面下部に、束紙幣を機外へ投出するための束紙幣投出口を有している。
【００８１】
バラ硬貨処理部４１３は、筐体上面に、入金対象となるバラ硬貨を受け入れるためのバラ硬貨入金口を有し、筐体前面に、出金対象となるバラ硬貨を取り出すためのバラ硬貨出金口、リジェクトされたバラ硬貨を投出するための入金リジェクト口、硬貨袋内にバラ硬貨を回収できるように形成された袋取シュート部、入金処理途中に処理がキャンセルされたバラ硬貨を排出するための返却回収箱を有している。
【００８２】
包装硬貨処理部４１４は、筐体前面上部に、包装硬貨を取り出すための包装硬貨出金口を有し、その下部に、大量の包装硬貨を一括回収するための包装硬貨一括箱と包装硬貨を機外へ投出するための包装硬貨投出口とを有している。
【００８３】
損貨処理装置４１５は、硬貨処理装置では受け付けられない硬貨（損貨、記念貨、等）を受け入れるための損貨入金口と、受け付けた硬貨を分類して収納するための流通硬貨収納部及び記念硬貨収納部と、返却する硬貨を収納するための返却硬貨収納部とを有している。受け付けた硬貨のうち、流通硬貨の損貨が流通硬貨収納部に収納され、記念硬貨（正貨及び損貨）が記念硬貨収納部に収納される。
【００８４】
損券処理装置４１６は、筐体上面前部に、紙幣処理装置では受け付けられない損券、小切手、手形等の紙葉類を受け入れるための紙葉類入金口を有し、筐体前面に、損券等の紙葉類を排出するための紙葉類出金口と損券等を投入して保管するポストを有している。
【００８５】
操作表示部４２８は、タッチパネル式表示部等からなる入出力デバイスであり、各種情報の入力又は各種情報の表示出力を行う。操作者は、この操作表示部４２８を用いて有価媒体の入金操作及び券面確認操作等を行う。なお、ここでは２台の操作表示部４２８を設けた場合を図示しており、操作者毎の入出力内容に応じて使い分けることができる。プリンタ４３０は、収納された貨幣の明細情報等を印刷するための出力デバイスである。
【００８６】
＜貨幣処理装置４００の内部構成＞
次に、図１３に示した貨幣処理装置４００の内部構成について説明する。図１４は、図１３に示した貨幣処理装置４００の内部構成を示す機能ブロック図である。同図に示すように、貨幣処理装置４００の制御部４２０には、すでに説明したバラ紙幣処理部４１１、束紙幣処理部４１２、バラ硬貨処理部４１３、包装硬貨処理部４１４、損貨処理装置４１５、損券処理装置４１６、操作表示部４２８及びプリンタ４３０が接続されている。
【００８７】
また、制御部４２０には、ＲＯＭ（Ｒｅａｄ  Ｏｎｌｙ  Ｍｅｍｏｒｙ）４２１、ＲＡＭ（Ｒａｎｄｏｍ  Ａｃｃｅｓｓ  Ｍｅｍｏｒｙ）４２２、ハードディスク装置等の記憶部４２４、操作員のＩＤ情報の入力装置である２つのＩＤカードリーダ４２６、及び通信インターフェース部４３４が接続されている。
【００８８】
制御部４２０は、貨幣処理装置４００を全体制御する制御部であり、貨幣処理装置４００を操作する操作者の画像を撮像部４３２で撮像し、撮像された画像と鍵管理装置１００から受信した画像とを照合処理して、操作者が同一人であるか否かを判定し、同一人であると判定された場合に、ロック機構４１７を解除する制御を行う。
【００８９】
記憶部４２４は、制御プログラム及び貨幣処理装置４００を操作する操作者の画像を記憶する。ＩＤカードリーダ４２６は、操作員が所持するＩＤカードのＩＤコード情報の読み取りを行うデバイスである。このＩＤカードリーダ４２６により読み取られたＩＤ情報に基づいて、操作員の権限等が認証される。通信インターフェース部４３４は、鍵管理装置１００と通信をするためのインターフェース部である。
【００９０】
ロック機構４１７は、許可が無い操作者が鍵を使って扉や収納部を開けようとしても開かないように鍵のロックを行う機構である。鍵管理装置１００から鍵を取り出した操作者と同一人が貨幣処理装置４００の鍵を使用する場合に、ロック機構４１７の鍵のロックが解除されるように制御部４２０に制御される。
【００９１】
＜貨幣処理装置の処理手順＞
次に、図１４に示した貨幣処理装置４００の処理手順について説明する。図１５及び図１６は、図１４に示した貨幣処理装置４００の処理手順を示すフローチャートである。また、図１７は、表示画面の一例を示す図である。
【００９２】
まず、図１７の画面Ｇ１に示すように、貨幣処理装置４００は表示操作部４２８に待機画面を表示している。ここで、ＩＤカードリーダ４２６が、貨幣処理装置４００のメンテナンスをしようとする操作者のＩＤカードを読み取ったならば（ステップＳ３０１）、操作権限を有するＩＤコードであるか否かを認証する（ステップＳ３０２）。そして、ＩＤコードの認証が不可であれば（ステップ３０２；Ｎｏ）、あらかじめ定められた警告（表示操作部４２８への警告表示、警報音の発報）を行い（ステップＳ３０３）、ＩＤカードの読取待ちの状態となる。一方、ＩＤコードが正しく認証されたならば（ステップＳ３０２；Ｙｅｓ）図１７の画面Ｇ２によりメニューの選択操作を受け付ける（ステップＳ３０４）。この選択操作が「メンテナンス」でなければ（ステップＳ３０５；Ｎｏ）、メンテナンス以外の処理を行う。ここでは、メンテナンスを行う場合を説明しているため、メンテナンス以外の処理についての説明を省略する。
【００９３】
これに対して、選択操作が「メンテナンス」であれば（ステップＳ３０５；Ｙｅｓ）、撮像部４３２により操作者の画像を撮像する(ステップＳ３０６)。この場合は、表示操作部４２８に図１７に示す画面Ｇ３が表示される。
【００９４】
そして、鍵管理装置１００から画像（鍵取出データに含まれる）を取得済みであるか否かを判定する（ステップＳ３０７）。ここで、記憶部４２４に鍵取出データ（画像を含む）が存在しない場合には（ステップＳ３０７；Ｎｏ）、その旨を警告表示して処理を終了する（ステップＳ３０８）。一方、記憶部４２４に鍵取出データ（画像を含む）が存在する場合には（ステップＳ３０７；Ｙｅｓ）、画像の照合処理を行って操作者が同一人であるか否かを判定する（ステップＳ３０９）。このとき、表示操作部４２８に図１７に示す画面Ｇ４又は画面Ｇ５が表示される。
【００９５】
その結果、操作者が同一人ではないと判定されたならば（ステップＳ３１０；Ｎｏ）、表示操作部４２８に図１７に示す画面Ｇ４のエラー通知を行って警告を行い（ステップＳ３１１）、鍵管理装置１００から取得したデータを消去して（ステップＳ３１６）して、処理を終了する。
【００９６】
これに対して、操作者が同一人であると判定されたならば（ステップＳ３１０；Ｙｅｓ）、ロック機構４１７を解錠可能状態とし（ステップＳ３１２）、操作者が鍵を用いて解錠できる状態とし、表示操作部４２８に図１７に示す画面Ｇ５の表示を行う。
【００９７】
そして、操作者が所持する鍵により扉が解錠された場合には（ステップＳ３１３；Ｙｅｓ）、操作者によるメンテナンスが行われる。その後、施錠されたならば（ステップＳ３１４；Ｙｅｓ）、ログを記憶部４２４に保存し（ステップＳ３１５）、鍵管理装置１００から鍵管理装置１００から取得したデータを消去して（ステップＳ３１６）、上記一連の処理を終了する。
【００９８】
上述してきたように、本実施例２では、鍵管理装置１００に設けられた撮像部１２７により操作者を撮像した画像を貨幣処理装置４００に送信し、貨幣処理装置４００では、自装置に設けられた撮像部４３２により撮像した画像と鍵管理装置１００から受信した画像と照合して、操作者が同一人であるか否かを判定し、操作者が同一人であると判定された場合には、鍵を用いた解錠を許可し、操作者が同一人でないと判定された場合には、鍵を用いた解錠を許可しないよう構成したので、鍵管理装置１００から鍵を取り出した操作者が第三者に鍵を渡して鍵管理装置１００のロック部を解錠させるような事態を防止することができる。なお、変形例などは、実施例１と同様になる
【実施例３】
【００９９】
ところで、上記実施例１及び２では、鍵管理装置１００から取り出された鍵を用いて両替機２００又は貨幣処理装置４００を解錠する場合について説明したが、本発明はこれに限定されるものではなく、鍵管理装置１００が存在しない場合に適用することもできる。このため、本実施例３では、かかる場合について説明する。
【０１００】
＜実施例３に係る貨幣処理システムの概念＞
本実施例３に係る貨幣処理システムの概念を説明する。図１８は、本実施例３に係る貨幣処理システムの概念を説明するための説明図である。ここでは、貨幣保管装置５００から取り出された貨幣を貨幣処理装置４００に収納（補充）する場合を示すこととする。貨幣保管装置５００とは、主に束紙幣や包装硬貨等の大量の貨幣を保管する装置である。施錠可能な引出し状の収納部を備え、収納されている貨幣の種類や数量が在高情報として管理される。
【０１０１】
図１８に示すように、貨幣保管装置５００には撮像部５０１が設けられており、この撮像部５０１により貨幣保管装置５００を操作（収納部の開閉）する操作者Ａを撮像し（Ｓ３１）、撮像された画像ａが貨幣処理装置４００に送信される（Ｓ３２）。具体的には、図１９に示すように、データ番号、取引日時、カードＩＤ、画像データ及び取引内容からなるデータを貨幣処理装置４００に送信することになる。一方、貨幣処理装置４００にも撮像部４３２が設けられており、この撮像部４３２により貨幣処理装置４００を操作する操作者Ｂを撮像する（Ｓ３３）。
【０１０２】
その後、貨幣処理装置４００は、操作者Ｂを撮像した画像ｂを貨幣保管装置５００から受信した画像ａと照合し、操作者Ａと操作者Ｂが同一人であるか否かを判定する（Ｓ３４）。その結果、操作者Ａと操作者Ｂが同一人であると判定された場合には、貨幣処理装置４００への貨幣の補充を許可し（Ｓ３５）、補充処理が実行される。一方、操作者Ａと操作者Ｂが同一人でないと判定された場合には、貨幣処理装置４００への貨幣の補充を許可せず、アラームを報知する（Ｓ３６）。
【０１０３】
このように、貨幣保管装置５００から貨幣を取り出した操作者Ａと、貨幣処理装置４００に貨幣を補充しようとする操作者Ｂが同一人であることを条件として、貨幣処理装置４００へ貨幣の補充を許可することとしたので、操作者が同一人である場合に限って貨幣を収納することが可能となり、貨幣の取り扱いが厳正化される。
【実施例４】
【０１０４】
ところで、上記実施例３では、貨幣保管装置５００に保管された貨幣を貨幣処理装置４００に収納する場合を示したが、貨幣処理装置４００から取り出された（回収された）貨幣を貨幣保管装置５００に保管する場合にも適用することができる。このため、本実施例４では、かかる場合について説明する。
【０１０５】
＜実施例４に係る貨幣処理システムの概念＞
本実施例４に係る貨幣処理システムの概念を説明する。図２０は、本実施例４に係る貨幣処理システムの概念を説明するための説明図である。ここでは、貨幣処理装置４００に収納された貨幣を貨幣保管装置５００に保管する場合を示している。
【０１０６】
図２０に示すように、貨幣処理装置４００に設けられた撮像部４３２により貨幣処理装置４００を操作（貨幣の取出し）する操作者Ｂを撮像し（Ｓ４１）、撮像された画像ｂが貨幣保管装置５００に送信される（Ｓ４２）。一方、貨幣保管装置５００に設けられた撮像部５０１により貨幣保管装置５００を操作する操作者Ａを撮像する（Ｓ４３）。
【０１０７】
その後、貨幣保管装置５００は、操作者Ａを撮像した画像ａを貨幣処理装置４００から受信した画像ｂと照合し、操作者Ａと操作者Ｂが同一人であるか否かを判定する（Ｓ４４）。その結果、操作者Ａと操作者Ｂが同一人であると判定された場合には、貨幣保管装置５００での貨幣の保管を許可し（Ｓ４５）、貨幣が収納される。一方、操作者Ａと操作者Ｂが同一人でないと判定された場合には、貨幣保管装置５００での貨幣の保管を許可せず、アラームを報知する（Ｓ４６）。
【０１０８】
このように、貨幣処理装置４００から貨幣を取り出した操作者Ｂと、貨幣保管装置５００に貨幣を収納しようとする操作者Ａとが同一人であることを条件として、貨幣保管装置５００での貨幣の保管を許可することとしたので、操作者が同一人である場合に限って貨幣を収納することが可能となり、貨幣の取り扱いが厳正化される。
【０１０９】
なお、上記の実施例３及び４において、自動精査機能を有さない引き出しの開閉には二者撮像による認証処理を行うことができる。また、金庫と貨幣保管装置の間においても、外部の撮像部を用いて同様の処理を行うことができる。
【０１１０】
また、ロック機構などが設けられておらず、使用を制御的に禁止できない装置であっても、認証により同一人でないと判定された場合に、アラーム報知することより、不正使用を抑制することができる。
【０１１１】
また、管理装置において各操作者の顔画像を記憶させておくことで、操作者間の鍵の受け渡しを行わせることも可能である。例えば、管理装置上で操作者Ａと操作者Ｂを対応付けておき、操作者Ａが取り出した鍵を操作者Ｂに受け渡した場合に、操作者Ｂによる解錠を許容することが可能となる。なお、操作者Ａと操作者Ｂを対応付けは、一時的に許可することもできる。
【０１１２】
また、上記の実施例１〜４では、画像の認証処理を行う場合を示したが、かかる画像を用いた認証処理を行わず、操作者の画像のログ保存機能を有した貨幣処理システムだけでも、セキュリティを厳正化することが可能となる。ログ保存結果を参照して、不正の有無をチェックできるからである。
【０１１３】
なお、上記の実施例１〜４に図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１１４】
本発明の貨幣処理システム及び貨幣処理方法は、操作者による鍵や貨幣等の媒体の取扱いを厳正化したい場合に有用である。
【符号の説明】
【０１１５】
１００    鍵管理装置
１０２    扉
１０３    鍵収納部
１０４    キーホルダー
１０５    鍵保持部
１０６    鍵使用状態表示部
１０７    緊急解錠部
１０８    プリンタ部
１１２    扉開閉検知部
１１３    検知突起部
１１５    カードリーダ
１１６    表示部
１１７    操作部
１１９    電源スイッチ
１２１    制御部
１２２    記憶部
１２４    ロック機構
１２５    通信インターフェース部
１２６    警告部
１２７    撮像部
１４０    鍵
２００    両替機
２０３    傾斜面
２０４    水平面
２０５    垂直面
２０６    表示操作部
２０７    レシート発行口
２０８    カード取扱口
２１０    硬貨取扱口
２１１    呼出スイッチ
２１２    鍵穴
２１４    包装硬貨取扱口
２１５    紙幣取扱口
２１６，２１７    シャッタ
２１８    確認用ミラー
２１９    人感センサ
２２０    投入口
２２１    返却レバー
２２２    硬貨返却口
２２３    異物返却口
２２５    制御部
２２６    本体記憶部
２２７    係員操作部
２２８    硬貨入金部
２２９    カードリーダ部
２３０    レシート発行部
２３１    紙幣入出金部
２３２    包装硬貨出金部
２３３    バラ硬貨出金部
２３６    撮像部
２３７    ロック機構
２３８    鍵抜取検知部
２３９    通信インターフェース部
３００    金庫
４００    貨幣処理装置
５００    貨幣保管装置
【図１】
2018036909.tif 000003
【図２】
2018036909.tif 000004
【図３】
2018036909.tif 000005
【図４】
2018036909.tif 000006
【図５】
2018036909.tif 000007
【図６】
2018036909.tif 000008
【図７】
2018036909.tif 000009
【図８】
2018036909.tif 000010
【図９】
2018036909.tif 000011
【図１０】
2018036909.tif 000012
【図１１】
2018036909.tif 000013
【図１２】
2018036909.tif 000014
【図１３】
2018036909.tif 000015
【図１４】
2018036909.tif 000016
【図１５】
2018036909.tif 000017
【図１６】
2018036909.tif 000018
【図１７】
2018036909.tif 000019
【図１８】
2018036909.tif 000020
【図１９】
2018036909.tif 000021
【図２０】
2018036909.tif 000022